(57)【特許請求の範囲】
【請求項１】
フィルムの各画面を、パノラマ画像が形成される領域であるパノラマエリアと、該パノラマエリアの縦方向の両側において該パノラマエリアを挟むように設定された２つの素抜けエリアに区分する区分手段と、
前記各画面における共通位置に所定濃度の箇所が在るか否かを識別する識別手段を備え、該識別手段によって前記所定濃度の箇所が存在することが識別された場合に、該所定濃度の箇所を削除して、前記各素抜けエリアのそれぞれの平均画像濃度ＵおよびＤと、前記各素抜けエリアのそれぞれにおける最大濃度ＵｍａｘおよびＤｍａｘと最小濃度ＵｍｉｎおよびＤｍｉｎとをそれぞれ求める演算手段と、
該演算手段の演算結果に基づいて、Ｕ／Ｄ≒１、Ｕｍａｘ≒Ｕｍｉｎ、Ｄｍａｘ≒Ｄｍｉｎの全ての条件を満足するかを判定して、該全ての条件を満足する場合に、前記パノラマエリアにパノラマ画像が形成されていると判定する判定手段と、
を備える画面判定装置。
【請求項２】
フィルムの各画面を、パノラマ画像が形成される領域であるパノラマエリアと、該パノラマエリアの縦方向の両側において該パノラマエリアを挟むように設定された２つの素抜けエリアに区分する区分手段と、
前記各画面における共通位置に所定濃度の箇所が在るか否かを識別する識別手段を備え、該識別手段によって前記所定濃度の箇所が存在することが識別された場合に、該所定濃度の箇所を削除して、前記パノラマエリアにおける平均画像濃度Ｃと、前記各素抜けエリアのそれぞれの平均画像濃度ＵおよびＤと、前記各素抜けエリアにおけるそれぞれの最大濃度ＵｍａｘおよびＤｍａｘと最小濃度ＵｍｉｎおよびＤｍｉｎと、前記フィルムのベース濃度Ｂとをそれぞれ求める演算手段と、
該演算手段の演算結果に基づいて、Ｕ／Ｄ≒１、（Ｕ＋Ｄ）／２＞Ｃ、（Ｕ＋Ｄ）／２＞Ｂ、Ｕｍａｘ≒Ｕｍｉｎ、Ｄｍａｘ≒Ｄｍｉｎの全ての条件を満足するかを判定して、該全ての条件を満足する場合に、前記パノラマエリアにパノラマ画像が形成されていると判定する判定手段と、
を備える画面判定装置。
【請求項３】
前記識別手段は、前記各画面の共通位置に存在する全ての画素の濃度を積算し、この積算値が予め設定されたしきい値よりも大きい場合には、前記共通位置に所定濃度の箇所が存在すると判定する請求項１または２に記載の画面判定装置。
【請求項４】
フィルムの各画面を、パノラマ画像が形成される領域であるパノラマエリアと、該パノラマエリアの縦方向の両側において該パノラマエリアを挟むように設定された２つの素抜けエリアに区分する区分ステップと、
次いで、前記各画面における共通位置に所定濃度の箇所が在るか否かを識別する識別ステップと、
該識別ステップによって前記所定濃度の箇所が存在することが識別された場合に、該所定濃度の箇所を削除して、前記各素抜けエリアのそれぞれの平均画像濃度ＵおよびＤと、前記各素抜けエリアのそれぞれにおける最大濃度ＵｍａｘおよびＤｍａｘと最小濃度ＵｍｉｎおよびＤｍｉｎとをそれぞれ求める演算ステップと、
該演算ステップの演算結果に基づいて、Ｕ／Ｄ≒１、Ｕｍａｘ≒Ｕｍｉｎ、Ｄｍａｘ≒Ｄｍｉｎの全ての条件を満足するかを判定して、該全ての条件を満足する場合に、前記パノラマエリアにパノラマ画像が形成されていると判定する判定ステップと、
を包含する画面判定方法。
【請求項５】
フィルムの各画面を、パノラマ画像が形成される領域であるパノラマエリアと、該パノラマエリアの縦方向の両側において該パノラマエリアを挟むように設定された２つの素抜けエリアに区分する区分ステップと、
次いで、前記各画面における共通位置に所定濃度の箇所が在るか否かを識別する識別ステップと、
該識別ステップによって前記所定濃度の箇所が存在することが識別された場合に、該所定濃度の箇所を削除して、前記パノラマエリアにおける平均画像濃度Ｃと、前記各素抜けエリアのそれぞれの平均画像濃度ＵおよびＤと、前記各素抜けエリアにおけるそれぞれの最大濃度ＵｍａｘおよびＤｍａｘと最小濃度ＵｍｉｎおよびＤｍｉｎと、前記フィルムのベース濃度Ｂとをそれぞれ求める演算ステップと、
該演算ステップの演算結果に基づいて、Ｕ／Ｄ≒１、（Ｕ＋Ｄ）／２＞Ｃ、（Ｕ＋Ｄ）／２＞Ｂ、Ｕｍａｘ≒Ｕｍｉｎ、Ｄｍａｘ≒Ｄｍｉｎの全ての条件を満足するかを判定して、該全ての条件を満足する場合に、前記パノラマエリアにパノラマ画像が形成されていると判定する判定ステップと、
を包含する画面判定方法。
【請求項６】
前記識別ステップは、前記各画面の共通位置に存在する全ての画素の濃度を積算し、この積算値が予め設定されたしきい値よりも大きい場合には、前記共通位置に所定濃度の箇所が存在すると判定する請求項４または５に記載の画面判定方法。
【発明の詳細な説明】
【０００１】
【発明の属する技術分野】
本発明は、フィルム上の各画面の濃度を判定する画面判定装置及び方法に関する。
【０００２】
【従来の技術】
周知の様に、フィルムの画面にパノラマ画像が形成されているか否かを判定するときには、フィルム上の各画面の濃度判定を行う。
【０００３】
例えば、図５に示す様なフィルムの画面１０１において、パノラマ画像が形成されているときには、斜線で示すパノラマエリア１０２のみに画像が写され、他の部分には画像が写されていない。このフィルムの画面１０１をパノラマ画像が形成されているか否かの判定の対象とする場合、まず画面１０１から実線で示す画像部分１０１ａを切り出し、更に、この画像部分１０１ａからパノラマエリア１０２を切り出し、このパノラマエリア１０２の平均画像濃度Ｃを求める。また、画像部分１０１ａからパノラマエリア１０２両側の２つのパノラマ素抜けエリア１０３，１０４を切り出し、これらのパノラマ素抜けエリア１０３，１０４の平均濃度Ｕ，Ｄを求める。更に、画面１０１から外れた該フィルム部分のベース濃度Ａを求める。
【０００４】
なお、ここで、Ａ、Ｂ、Ｕ及びＤの各濃度は、フィルムの透過濃度、即ちどれだけ光が透過するかを示した濃度である。以下の記載でも同様である。
この後、次の様な３つの条件が満たされるか否かを判定する。
【０００５】
条件(a) パノラマエリア１０２の平均画像濃度Ｃが各パノラマ素抜けエリア１０３，１０４の平均濃度Ｕ，Ｄよりも十分に小さい（暗い）。
【０００６】
条件(b) 各パノラマ素抜けエリア１０３，１０４の平均濃度Ｕ，Ｄの差が十分に小さい。
【０００７】
条件(c) 各パノラマ素抜けエリア１０３，１０４の平均濃度Ｕ，Ｄがベース濃度Ａよりも大きい（明るい）。
【０００８】
これらの条件が全て満たされれば、フィルムの画面１０１にパノラマ画像が形成されていると判定していた。
【０００９】
【発明が解決しようとする課題】
しかしながら、上記従来のパノラマ画像の判定において、フィルムの画面１０１に対する露光が不足し、画面１０１が全体的に明るかったり、各パノラマ素抜けエリア１０３，１０４に写っている画像ｓが非常に小さいときには、各パノラマ素抜けエリア１０３，１０４の平均濃度Ｕ，Ｄが十分に小さくなる。この場合、上記３つの条件が満たされ、フィルムの画面１０１にパノラマ画像が形成されていると判定され、誤判定となった。
【００１０】
そこで、本発明の課題は、上記従来の問題を解決するためのものであって、フィルムの画面にパノラマ画像が形成されているか否かを判定する上で、正確な判定を可能にする画面判定装置及び方法を提供することにある。
【００１１】
【課題を解決するための手段】
上記課題を解決するために、本発明の画面判定装置は、フィルムの各画面のいずれにおいても、該各画面の共通位置に所定濃度の箇所が在るか否かを識別する識別手段と、前記各画面の共通位置に在る所定濃度の箇所を前記各画面から除いて、該各画面の濃度を求める演算手段とを備える。
【００１２】
１実施形態では、フィルムの１画面をパノラマエリアと該パノラマエリアを挟む２つの素抜けエリアに区分する区分手段と、前記１画面にパノラマ画像が形成されているか否かを判定する判定手段とを備え、前記演算手段は、フィルムの各画面のいずれにおいても、該各画面の共通位置に所定濃度の箇所が在る場合は、前記各素抜けエリアから前記箇所を除いて、該各素抜けエリアの平均濃度を求め、前記判定手段は、前記各素抜けエリアの平均濃度の比較に基づいて、前記１画面にパノラマ画像が形成されているか否かを判定する。
【００１３】
１実施形態では、フィルムの１画面をパノラマエリアと該パノラマエリアを挟む２つの素抜けエリアに区分する区分手段と、前記１画面にパノラマ画像が形成されているか否かを判定する判定手段とを備え、前記演算手段は、フィルムの各画面のいずれにおいても、該各画面の共通位置に所定濃度の箇所が在る場合は、前記各素抜けエリアから前記箇所を除いて、該各素抜けエリアの平均濃度を求めると共に、前記パノラマエリアの平均濃度を求め、前記判定手段は、前記パノラマエリアの平均濃度と前記各素抜けエリアの平均濃度の比較に基づいて、前記１画面にパノラマ画像が形成されているか否かを判定する。
【００１４】
１実施形態では、フィルムの１画面をパノラマエリアと該パノラマエリアを挟む２つの素抜けエリアに区分する区分手段と、前記１画面にパノラマ画像が形成されているか否かを判定する判定手段とを備え、前記演算手段は、フィルムの各画面のいずれにおいても、該各画面の共通位置に所定濃度の箇所が在る場合は、前記各素抜けエリアから前記箇所を除いて、該各素抜けエリアの平均濃度を求めると共に、前記フィルムのベース濃度を求めて、このベース濃度に対して所定比だけ小さい基準濃度を求め、前記判定手段は、前記基準濃度と前記各素抜けエリアの平均濃度の比較に基づいて、前記１画面にパノラマ画像が形成されているか否かを判定する。
【００１５】
１実施形態では、前記識別手段は、前記各画面の共通位置に在る該各画面の画素の濃度を積算し、この積算値に基づいて、該各画面のいずれにおいても、該各画面の共通位置に所定濃度の箇所が在るか否かを識別する。
【００１６】
本発明の画面判定方法は、フィルムの各画面のいずれにおいても、該各画面の共通位置に所定濃度の箇所が在るか否かを識別する識別ステップと、前記各画面の共通位置に在る所定濃度の箇所を前記各画面から除いて、該各画面の濃度を求める演算ステップとを有する。
【００１７】
１実施形態では、フィルムの１画面をパノラマエリアと該パノラマエリアを挟む２つの素抜けエリアに区分する区分ステップと、前記１画面にパノラマ画像が形成されているか否かを判定する判定ステップとを有し、前記演算ステップは、フィルムの各画面のいずれにおいても、該各画面の共通位置に所定濃度の箇所が在る場合は、前記各素抜けエリアから前記箇所を除いて、該各素抜けエリアの平均濃度を求め、前記判定ステップは、前記各素抜けエリアの平均濃度の比較に基づいて、前記１画面にパノラマ画像が形成されているか否かを判定する。
【００１８】
１実施形態では、前記演算ステップは、前記１画面の各素抜けエリア毎に、最大濃度と最小濃度の差を求め、前記判定ステップは、前記各素抜けエリアの平均濃度の比較、及び前記各素抜けエリアの前記差と所定値の比較に基づいて、前記１画面にパノラマ画像が形成されているか否かを判定する。
【００１９】
１実施形態では、フィルムの１画面をパノラマエリアと該パノラマエリアを挟む２つの素抜けエリアに区分する区分ステップと、前記１画面にパノラマ画像が形成されているか否かを判定する判定ステップとを有し、前記演算ステップは、フィルムの各画面のいずれにおいても、該各画面の共通位置に所定濃度の箇所が在る場合は、前記各素抜けエリアから前記箇所を除いて、前記各素抜けエリアの平均濃度を求めると共に、前記パノラマエリアの平均濃度を求め、前記判定ステップは、前記パノラマエリアの平均濃度と前記各素抜けエリアの平均濃度の比較に基づいて、前記１画面にパノラマ画像が形成されているか否かを判定する。
【００２０】
１実施形態では、フィルムの１画面をパノラマエリアと該パノラマエリアを挟む２つの素抜けエリアに区分する区分ステップと、前記１画面にパノラマ画像が形成されているか否かを判定する判定ステップとを有し、前記演算ステップは、フィルムの各画面のいずれにおいても、該各画面の共通位置に所定濃度の箇所が在る場合は、前記各素抜けエリアから前記箇所を除いて、前記各素抜けエリアの平均濃度を求めると共に、前記フィルムのベース濃度を求めて、このベース濃度に対して所定比だけ小さい基準濃度を求め、前記判定ステップは、前記基準濃度と前記各素抜けエリアの平均濃度の比較に基づいて、前記１画面にパノラマ画像が形成されているか否かを判定する。
【００２１】
１実施形態では、フィルムの１画面をパノラマエリアと該パノラマエリアを挟む２つの素抜けエリアに区分する区分ステップと、前記１画面にパノラマ画像が形成されているか否かを判定する判定ステップとを有し、前記演算ステップは、フィルムの各画面のいずれにおいても、該各画面の共通位置に所定濃度の箇所が在る場合は、前記各素抜けエリアから前記箇所を除いて、前記各素抜けエリアの平均濃度を求めると共に、前記パノラマエリアの平均濃度を求め、更に、前記フィルムのベース濃度を求めて、このベース濃度に対して所定比だけ小さい基準濃度を求め、前記判定ステップは、前記各素抜けエリアの平均濃度の比較、前記パノラマエリアの平均濃度と前記各素抜けエリアの平均濃度の比較、及び前記基準濃度と前記各素抜けエリアの平均濃度の比較に基づいて、前記１画面にパノラマ画像が形成されているか否かを判定する。
【００２２】
１実施形態では、前記識別ステップは、前記各画面の共通位置に在る該各画面の画素の濃度を積算し、この積算値に基づいて、該各画面のいずれにおいても、該各画面の共通位置に所定濃度の箇所が在るか否かを識別する。
【００２３】
【発明の実施の形態】
以下、本発明の実施形態を添付図面を参照して説明する。
【００２４】
図１は、本発明の画面判定装置の一実施形態を示すブロック図である。本実施形態の画面判定装置は、プリンター装置１、演算制御部２、及び画像メモリ３を備えている。
【００２５】
プリンター装置１は、フィルムの各画面をプリント用紙に順次転写して現像し、各画像を映し出したプリント用紙を排出する。このプリンター装置１には、画像読み取り部４が内蔵されている。この画像読み取り部４は、例えばフィルムをＣＣＤによって読み取り、このＣＣＤの出力から該フィルム上の画像を示す画像データを形成して、この画像データを演算制御部２に出力する。
【００２６】
演算制御部２は、画像読み取り部４からの画像データを入力して、この画像データを画像メモリ３に一旦記憶し、該画像データに基づいて、フィルムの各画面毎に、パノラマ画像が写されているか否かを判定し、この判定結果をプリンター装置１に通知する。
【００２７】
プリンター装置１は、演算制御部２によってパノラマ画像であると判定されたフィルムの画面をパノラマサイズに引き延ばしてプリント用紙にプリントし、演算制御部２によってパノラマ画像であると判定されたフィルムの画面をノーマルサイズに引き延ばしてプリント用紙にプリントし、各画像を映し出したプリント用紙を排出する。
【００２８】
この様な構成において、演算制御部２は、画像メモリ３内の画像データに基づいて、次の様な手順で、フィルムの各画面毎に、パノラマ画像が写されているか否かを判定する。
【００２９】
まず、演算制御部２は、画像メモリ３内の画像データによって示される図２に示す様なフィルム１０の各画面１１毎に、図３に示す様に画面１１から画像部分１１ａを切り出し、更に、図４に示す様に画像部分１１ａをパノラマエリア１２、各パノラマ素抜けエリア１３，１４及び各不感エリア１５，１６に区分する。
【００３０】
そして、演算制御部２は、パノラマエリア１２を抽出し、このパノラマエリア１２内の各画素の濃度を加算して、その和を該各画素の数で除算し、その商を該パノラマエリア１２の平均画像濃度Ｃとして求める。
【００３１】
また、演算制御部２は、パノラマエリア１２両側の２つのパノラマ素抜けエリア１３，１４を抽出し、これらのパノラマ素抜けエリア１３，１４毎に、パノラマ素抜けエリア内の各画素の濃度を加算して、その和を該各画素の数で除算して商を求める。これらの商は、各パノラマ素抜けエリア１３，１４の平均濃度Ｕ，Ｄとして求められる。
【００３２】
更に、演算制御部２は、画像メモリ３内の画像データに基づいて、フィルム１０全体の各画素をスキャンして、最小濃度（最も明るい）Ｐの画素を検索し、この画素の最小濃度Ｐを次式（１）に代入して、フィルム１０のベース濃度Ｂを求める。
【００３３】
Ｂ＝Ｐ×α      ……（１）
このαは、通常、１未満の値に設定するとよい。
【００３４】
ここで、パノラマエリア１２と各パノラマ素抜けエリア１３，１４間には、各不感エリア１５，１６を配している。これらの不感エリア１５，１６は、上記各濃度が求められるエリアの対象外の部分である。このため、パノラマ画像の縦幅は、各不感エリア１５，１６に入る範囲であれば良く、これによって各種のサイズのパノラマ画像が写されているか否かを正確に判定することができる。
【００３５】
また、図３に示す画像部分１１ａのサイズについては、画面１０１の特に縦幅方向について同一サイズとなるように抽出することが、パノラマ画像が写されているか否かの正確な判定の実現につながることになる。
【００３６】
こうして各画面１１毎に、パノラマエリア１２の平均画像濃度Ｃ、各パノラマ素抜けエリア１３，１４の平均濃度Ｕ，Ｄ、及びフィルム１０のベース濃度Ｂを求めた後、演算制御部２は、各画面１１毎に、次の様な３つの条件が満たされるか否かを判定する。
【００３７】
条件(a) 各パノラマ素抜けエリア１３，１４の平均濃度Ｕ，Ｄの比が次式（２）を満たす。つまり、各パノラマ素抜けエリア１３，１４の平均濃度Ｕ，Ｄのバラツキが小さい。
【００３８】
Ｕ／Ｄ≒１      ……（２）
条件(b) パノラマエリア１２の平均画像濃度Ｃと、各パノラマ素抜けエリア１３，１４の平均濃度Ｕ，Ｄが次式（３）を満たす。つまり、パノラマエリア１２に画像が写っている。
【００３９】
（Ｕ＋Ｄ）／２＞Ｃ      ……（３）
条件(c) 各パノラマ素抜けエリア１３，１４の平均濃度Ｕ，Ｄの平均値Ａとフィルム１０のベース濃度Ｂが次式（４）を満たす。つまり、各パノラマ素抜けエリア１３，１４が十分に明るい。
【００４０】
Ａ＞Ｂ      ……（４）
これらの３つの条件を満たせば、演算制御部２は、パノラマ画像が写されている画面１１であると暫定的にみなす。
【００４１】
先に述べた様に、フィルムの画面１１に対する露光が不足し、画面１１が全体的に明るかったり、各パノラマ素抜けエリア１３，１４に写っている画像ｓが非常に小さいときには、各パノラマ素抜けエリア１３，１４の平均濃度Ｕ，Ｄが十分に小さくなる。この場合、パノラマ画像が写されていなくても、上記３つの条件が満たされ、フィルムの画面１１にパノラマ画像が形成されていると判定されることがある。
【００４２】
そこで、本実施形態では、上記３つの条件(a)、(b)、(c)の他に、次の各式（５），（６）に示すもう１つの条件(d)を付け加えて、フィルムの画面１１にパノラマ画像が形成されているか否かを判定している。
【００４３】
条件(d) パノラマ素抜けエリア１３における最大濃度Ｕmaxと最小濃度Ｕminの差が次式（５）を満たし、かつパノラマ素抜けエリア１４における最大濃度Ｄmaxと最小濃度Ｄminの差が次式（６）を満たす。
【００４４】
Ｕmax≒Ｕmin     ……（５）
Ｄmax≒Ｄmin     ……（６）
上記各式（５），（６）は、パノラマ素抜けエリア１３における最大濃度Ｕmaxと最小濃度Ｕminの差が十分に小さく、かつパノラマ素抜けエリア１４における最大濃度Ｄmaxと最小濃度Ｄminの差が十分に小さいことを確認するためのものである。これらの式（５），（６）を満たせば、各パノラマ素抜けエリア１３，１４のいずれにも、小さな画像ｓが写っておらず、画面１１にパノラマ画像が形成されていると判定することができ、これらの式（５），（６）を満たさなければ、各パノラマ素抜けエリア１３，１４のいずれかに画像が写っており、画面１１にパノラマ画像が形成されていない（ノーマルサイズの画像である）と判定することができる。
【００４５】
ところが、撮像カメラには多様な種類があり、パノラマ撮影を行うときに、各パノラマ素抜けエリア１３，１４の特定箇所に、日付や何らかのマーク等が写っていることがある。例えば、図２に示す様に、パノラマ画像が形成されている各画面１１において、同一箇所に、マーク１８が形成されていることがある。
【００４６】
この場合は、各パノラマ素抜けエリア１３，１４のいずれにも、小さな画像ｓが写っていないにもかかわらず、マーク１８を画像と誤認してしまい、上記各式（５），（６）が満たれず、画面１１にパノラマ画像が形成されていないと判定されてしまう。
【００４７】
そこで、この様な誤認を避けるため、上記各式（５），（６）に基づく判定に先立って、上記各条件(a)、(b)、(c)を満たし、パノラマ画像が写されていると暫定的にみなされた各画面１１からマーク１８を削除する。
【００４８】
このマーク１８を削除するために、まず、演算制御部２は、パノラマ画像が写されていると暫定的にみなされた各画面１１のいずれにおいても、該各画面の共通位置に所定濃度の箇所が在るか否かを識別する。
【００４９】
例えば、演算制御部２は、パノラマ画像が写されていると暫定的にみなされた各画面１１において共通位置にあるそれぞれの画素を選択して、これらの画素の濃度を積算し、その和の総濃度を求める。この演算をそれぞれの位置の画素毎に繰り返し、該各位置の画素の総濃度を求める。各画面１１のマーク１８は、該マーク１８の周囲とは異なる濃度を有しているので、これらの位置の画素の総濃度を予設定のしきい値と比較すれば、マーク１８に包含される各位置の画素の総濃度が該しきい値を越え、マーク１８に包含される各位置の画素を識別することができる。
【００５０】
演算制御部２は、マーク１８に包含される各画素を識別すると、パノラマ画像が写されていると暫定的にみなされた各画面１１からマーク１８の各画素を削除して、マーク１８を含まない各画面１１を形成する。
【００５１】
この後、演算制御部２は、パノラマ画像が写されていると暫定的にみなされ、かつマーク１８を含まない各画面１１毎に、上記条件(d)の各式（５），（６）を満たすか否かを判定し、各式（５），（６）を満たせば、各パノラマ素抜けエリア１３，１４のいずれにも、小さな画像ｓが写っていないので、該各画面１１にパノラマ画像が形成されていると判定する。
【００５２】
以上説明した様に、本実施形態では、上記各条件(a)、(b)、(c)だけでなく、上記条件(d)、つまり各パノラマ素抜けエリア１３，１４のいずれにも、小さな画像ｓが写っていないことを判定するための条件を付け加えているので、画面１１にパノラマ画像が形成されているか否かの判定をより正確に行うことができる。
【００５３】
また、上記条件(d)の判定を行う前に、各パノラマ素抜けエリア１３，１４の特定箇所に写っている日付や何らかのマーク等を画面から削除するので、上記条件(d)の判定を誤ることがない。
【００５４】
なお、本願発明は、上記実施形態に限定されるものでなく、多様に変形することができる。例えば、上記各条件(a)、(b)、(c)、(d)における各数値を適宜に変更しても構わない。また、各画面１１のいずれにおいても、該各画面の共通位置に所定濃度の箇所が在るか否かを識別するために、本実施形態とは異なる方法を用いても構わない。例えば、各画面１１毎に、各パノラマ素抜けエリア１３，１４の各画素のうちからしきい値を越える濃度の画素を検出し、この画素が各画面１１の同一位置に常に現れるのであれば、該画素を各画面の共通位置に在る所定濃度の箇所と判定しても良い。
【００５５】
【発明の効果】
以上説明した様に、本発明によれば、フィルムの各画面のいずれにおいても、該各画面の共通位置に所定濃度の箇所が在るか否かを識別し、前記各画面の共通位置に在る所定濃度の箇所を前記各画面から除いて、該各画面の濃度を求めている。このため、特定箇所に写っている日付や何らかのマーク等を画面から削除して、画面の濃度を求めることができ、画面の濃度を正確に判定することが可能になる。
【図面の簡単な説明】
【図１】本発明の画面判定装置の一実施形態を示すブロック図である。
【図２】フィルム上の各画面を例示する図である。
【図３】図２のフィルム上の１画面を示す図である。
【図４】図３の画面から抽出された画像部分を示す図である。
【図５】パノラマ画像が形成されているか否かを判定するための従来の方法を説明するために用いた図である。
【符号の説明】
１  プリンタ装置
２  演算制御部
３  画像メモリ
４  画像読み取り部
１０  フィルム
１１  画面
１２  パノラマエリア
１３，１４  パノラマ素抜けエリア
１５，１６  不感エリア
１８  マーク
【図１】
0003763335.tif 000002
【図２】
0003763335.tif 000003
【図３】
0003763335.tif 000004
【図４】
0003763335.tif 000005
【図５】
0003763335.tif 000006